【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
ハイブリッドベンゾオキサジン樹脂であって、溶媒を存在させるか或は存在させないでアルデヒド化合物および有機第一級モノアミンを単官能フェノール単量体および多官能フェノール単量体と一緒にすることで反応体混合物を生じさせそして前記反応体混合物を単官能フェノールを実質的に含有しないハイブリッドベンゾオキサジン樹脂が生じるに充分な条件下で反応させることで得られるハイブリッドベンゾオキサジン樹脂。
【請求項２】
前記単官能フェノール単量体がフェノール、ｏ−クレゾール、ｐ−クレゾール、ｍ−クレゾール、ｐ−ｔ−ブチルフェノール、ｐ−オクチルフェノール、ｐ−クミルフェノール、ドデシルフェノール、ｏ−フェニルフェノール、ｐ−フェニルフェノール、１−ナフトール、２−ナフトール、ｍ−メトキシフェノール、ｐ−メトキシフェノール、ｍ−エトキシフェノール、ジメチルフェノール、３，５−ジメチルフェノール、キシレノール、２−ブロモ−４−メチルフェノール、２−アリルフェノールおよびこれらの混合物から選択される化合物である請求項１記載のハイブリッドベンゾオキサジン樹脂。
【請求項３】
前記単官能フェノール単量体がフェノール、ｏ−クレゾール、ｐ−クレゾール、ｍ−クレゾールおよびこれらの混合物から選択される化合物である請求項１記載のハイブリッドベンゾオキサジン樹脂。
【請求項４】
前記多官能フェノール単量体が式（１）、（２）または（３）：
【化１】
2017506682.tif 000001
［式中、Ｘは直接結合、脂肪基、脂環式基または芳香基であり、これはヘテロ元素または官能基を含有していてもよい］
で表される化合物である請求項１記載のハイブリッドベンゾオキサジン樹脂。
【請求項５】
前記多官能フェノール単量体がフェノールフタレイン、ビフェノール、４−４′−メチレン−ジ−フェノール、４−４′−ジヒドロキシベンゾフェノン、ビスフェノール−Ａ、ビスフェノール−Ｓ、ビスフェノール−Ｆ、１，８−ジヒドロキシアントラキノン、１，６−ジヒドロキシナフタレン、２，２′−ジヒドロキシアゾベンゼン、レゾルシノール、フルオレンビスフェノール、１，３，５−トリヒドロキシベンゼンおよびこれらの混合物から選択される請求項４記載のハイブリッドベンゾオキサジン樹脂。
【請求項６】
前記アルデヒド化合物がホルムアルデヒドを含有して成る請求項１記載のハイブリッドベンゾオキサジン樹脂。
【請求項７】
前記有機第一級モノアミン化合物がアンモニウム、メチルアミン、エチルアミン、プロピルアミン、ブチルアミン、イソプロピルアミン、ヘキシルアミン、オクタデシルアミン、シクロヘキシルアミン、１−アミノアントラセン、４−アミノベンズアルデヒド、４−アミノベンゾフェノン、アミノビフェニル、２−アミノ−５−ブロモピリジン、Ｄ−３−アミノ−ε−カプロラクタム、２−アミノ−２，６−ジメチルピペリジン、３−アミノ−９−エチルカルバゾール、４−（２−アミノエチル）モルホリン、２−アミノフルオレン、１−アミノホモピペリジン、９−アミノフェナントレン、１−アミノピレン、４−ブロモアニリン、アニリン、トルイデン、キシリデン、ナフチルアミンまたはこれらの混合物である請求項１記載のハイブリッドベンゾオキサジン樹脂。
【請求項８】
溶媒が存在しそしてそれが純ベンゼン、混合ベンゼン、トルエン、キシレン、エチルベンゼン、オクタン、メチルシクロヘキサン、ブチルベンゼン、クメン、メシチレン、クロロベンゼン、ジクロロベンゼン、ｏ−クロロトルエン、ｎ−クロロトルエン、ｐ−クロロトルエン、１，２−ジクロロエタン、１，２−ジクロロプロパン、四塩化炭素、１，１，１−トリクロロエタン、１，１，２−トリクロロエタン、１，１，１，２−テトラクロロエタン、１，１，２，２−テトラクロロエタン、トリクロロエチレン、テトラクロロエチレンおよびこれらの混合物から選択される請求項１記載のハイブリッドベンゾオキサジン樹脂。
【請求項９】
ハイブリッドベンゾオキサジン樹脂の製造方法であって、アルデヒド化合物、有機第一級モノアミン、多官能フェノール単量体および単官能フェノール単量体および場合により溶媒を一緒にすることで反応体混合物を生じさせそしてその反応体混合物を反応体が反応して単官能物を実質的に含有しないハイブリッドベンゾオキサジン樹脂が生じるに充分な時間加熱することを含んで成る方法。
【請求項１０】
前記単官能フェノール単量体および多官能フェノール単量体を一緒にして前記反応体混合物に同時に添加して反応させる請求項９記載の方法。
【請求項１１】
前記単官能フェノール単量体を最初に反応体混合物に添加して充分な時間反応させた後に前記多官能フェノール単量体を前記反応体混合物に添加する請求項９記載の方法。
【請求項１２】
前記単官能フェノール単量体および前記多官能フェノール単量体の一部を一緒にして反応体混合物に同時に添加して充分な時間反応させた後に前記多官能フェノール単量体の残りの部分を反応体混合物に添加する請求項９記載の方法。
【請求項１３】
反応温度を周囲温度から約１５０℃の範囲にしそして反応時間を約１０分から１０時間の範囲にする請求項９記載の方法。
【請求項１４】
反応時間を約３０分から約４時間の範囲にする請求項１３記載の方法。
【請求項１５】
請求項１記載のハイブリッドベンゾオキサジン樹脂を含有して成る熱硬化性組成物。
【請求項１６】
更にエポキシ樹脂、ポリフェニレンエーテル樹脂、ポリイミド樹脂、シリコーン樹脂、メラミン樹脂、尿素樹脂、シアン酸エステル樹脂、ポリフェノールもしくはフェノール樹脂、アリル樹脂、ポリエステル樹脂、ビスマレイミド樹脂、アルキド樹脂、フラン樹脂、ポリウレタン樹脂、アニリン樹脂、硬化剤、難燃剤、充填剤、剥離剤、粘着性付与剤、界面活性剤、着色剤、カップリング剤および／またはレベリング剤の中の１種以上も含有して成る請求項１５記載の熱硬化性樹脂組成物。
【請求項１７】
請求項１５記載の熱硬化性組成物を含有して成る硬化品。
【請求項１８】
請求項１５記載の熱硬化性組成物を電子もしくは電気部品用の接着剤、シーラント、コーティングまたはカプセル封じシステムとして用いる使用。
【請求項１９】
請求項１５記載の熱硬化性組成物が染み込んだ繊維の束もしくは層を含有して成る硬化品。
【請求項２０】
プレプレグまたはトウプレグを製造する方法であって、（ａ）繊維の束もしくは層を準備し、（ｂ）請求項１記載の熱硬化性組成物を準備し、（ｃ）前記繊維の束もしくは層を無フェノール組成物と一緒にすることでプレプレグもしくはトウプレグアセンブリを生じさせ、（ｄ）場合により、余分な無フェノール組成物を前記プレプレグもしくはトウプレグアセンブリから除去してもよく、そして（ｅ）前記プレプレグもしくはトウプレグアセンブリを前記繊維の束もしくは層に前記無フェノール組成物が染み込んでプレプレグもしくはトウプレグが生じるに充分な高温および／または高圧条件にさらす段階を含んで成る方法。
【請求項２１】
請求項２０記載の方法に従って生じさせたプレプレグまたはトウプレグ。
【手続補正２】
【補正対象書類名】明細書
【補正対象項目名】００２２
【補正方法】変更
【補正の内容】
【００２２】
【化１】
2017506682.tif 000002
【手続補正３】
【補正対象書類名】明細書
【補正対象項目名】００２３
【補正方法】変更
【補正の内容】
【００２３】
［式中、Ｘは直接結合、脂肪基、脂環式基または芳香基（ヘテロ元素または官能基を含有していてもよい）である］
で表される化合物であってもよい。式（１）中のＸは各ヒドロキシル基のオルソ位、メタ位またはパラ位に結合していてもよい。
【手続補正４】
【補正対象書類名】明細書
【補正対象項目名】００２５
【補正方法】変更
【補正の内容】
【００２５】
【化２】
2017506682.tif 000003
【手続補正５】
【補正対象書類名】明細書
【補正対象項目名】００２６
【補正方法】変更
【補正の内容】
【００２６】
の１つで表され、ここで、＊は式（１）中のベンゼン環との結合部位を表す。